(57)【要約】揮発性フレーバーオイル（５０）のような活性合成物の保持および放出のシステムを提供する。発泡体の収容層（６０）は、収容層（６０）に押出しコートされた発散材料（６２，６４）の層の間に配置される。箔材のような障壁層は、収容層（６０）の一側のフィルム層に剥離可能に結合される。その結果の複合体は、キャップに保持されるように、容器キャップのようなクロージャー（１４）に付着して固定される。箔層は容器に固定的に結合され、クロージャー（１４）が消費者によって外された後に、容器にとどまる。箔層の外し、および容器内の商品を得るためのその後の開口と閉口を伴って、活性合成物の新たな濃度が容器ヘッドスペース内に生じて、その後の開口時に充分な効果が得られる。
2004509811.tif 000002
【特許請求の範囲】
【請求項１】
開口を有する容器と共に用いられ、開口は、容器と解除可能に結合するクロージャーによって閉じられる香味保持および放出システムにおいて、
揮発性香味物質を保持するためのポケットを共同して形成するように、前記クロージャー内に受けられる寸法とされた永続ライナーアッセンブリと、
前記永続ライナーアッセンブリの少なくとも一部を前記クロージャーに結合する永続結合材と、
前記香味物質に関して不浸透性の放散障壁を含む着脱可能ライナーアッセンブリと、
前記着脱可能ライナーアッセンブリを前記容器に結合する容器結合材と、
耐芳香性の密閉を伴って、前記着脱可能ライナーアッセンブリを前記永続ライナーアッセンブリに解除可能に結合する解除可能結合材と
を含む。
【請求項２】
前記永続ライナーアッセンブリは、前記揮発性香味物質を収容し、前記容器のその後の開口と再閉口のときに前記揮発香味物質の遅い開放を許容する請求項１に記載の香味保持および放出システム。
【請求項３】
前記永続ライナーアッセンブリは、前記揮発性香味物質に関して発散可能に配置される収容層を含む請求項２に記載の香味保持および放出システム。
【請求項４】
前記永続ライナーアッセンブリは、第１および第２ライナー層の間に配置される多孔性発泡層を含む請求項１に記載の香味保持および放出システム。
【請求項５】
前記永続ライナーアッセンブリは第１および第２開口面を有する多孔性発泡層を含み、それらの開口面は、前記香味物質に関して発散可能なライナー層によって被覆された請求項１に記載の香味保持および放出システム。
【請求項６】
前記永続ライナーアッセンブリは、ポリオレフィンフィルム押出しコーティングによって押出しコートされた対向主表面を有するポリプロピレン発泡体を含む請求項５に記載の香味保持および放出システム。
【請求項７】
前記ポリプロピレンフィルムは、３０と３５ｍｍとの間に渡る厚みを有し、前記第１のポリエチレンフィルム押出しコーティングはほぼ０．５ｍｍの厚みを有し、前記第２のポリエチレンフィルム押出しコーティングはほぼ１．５ｍｍの厚みを有する請求項５に記載の香味保持および放出システム。
【請求項８】
前記容器結合材は、インダクションシール可能フィルムを含む請求項１に記載の香味保持および放出システム。
【請求項９】
前記インダクションシール可能フィルムはポリエチレンを含む請求項８に記載の香味保持および放出システム。
【請求項１０】
前記インダクションシール可能フィルムは、ほぼ４ｍｍの厚みを有する請求項９に記載の香味保持および放出システム。
【請求項１１】
前記着脱可能ライナー放散障壁はアルミニウムホイールを含む請求項１に記載の香味保持および放出システム。
【請求項１２】
前記アルミニウムホイールは、０．６と０．８ｍｍとの間に渡る厚みを有する請求項１１に記載の香味保持および放出システム。
【請求項１３】
前記解除可能結合材は剥離可能な接着剤を含む請求項１に記載の香味保持および放出システム。
【請求項１４】
前記永続結合材は、前記永続ライナーアッセンブリの外側外周を前記クロージャーに結合する請求項１に記載の香味保持および放出システム。
【請求項１５】
前記クロージャーは内面と外面を含み、さらに、
前記クロージャーの内面にクロージャー障壁層を含んで前記香味物質に関する発散障壁を与える請求項１に記載の香味保持および放出システム。
【請求項１６】
繰り返される開口時および閉じられる容器にて、揮発性香味物質を保持および放出する方法において、
容器内部を利用するための開口を形成する容器を用意し、
前記開口を閉じるために前記容器に結合可能であって、内面を有するクロージャーを用意し、
揮発性香味物質を用意し、
前記クロージャーの内面に前記揮発性香味物質を取り付け、
前記揮発性香味物質のための収容層を用意し、
前記収容層の内および外への前記揮発性香味物質の発散を制限する発散フィルムによって前記収容層を被覆し、これによって収容アッセンブリを形成し、
前記収容アッセンブリを前記クロージャーの内面に取り付けて、前記揮発性香味物質を内在するポケットを形成し、
発散障壁を用意し、
前記クロージャーと共同して前記揮発性香味物質を保持するように、前記発散隔壁を前記収容アッセンブリに着脱可能に密閉し、
前記発散隔壁を前記容器に永続的に密閉することによって、前記クロージャーの移動を伴って前記容器が開口したときに前記隔離可能シールが破られ、前記容器への前記クロージャーの結合を伴って前記容器がその後に閉じられたときに、前記収容アッセンブリを容器内部に露出させる。
【請求項１７】
前記収容アッセンブリへの前記発散隔壁の着脱可能な密閉工程は、前記収容アッセンブリが前記クロージャーに締め付けられる前に実施する請求項１６に記載の方法。
【請求項１８】
前記容器への前記前記発散隔壁の永続的な密閉工程は、前記容器が前記クロージャーに結合された後に実施する請求項１７に記載の方法。
【請求項１９】
前記容器への前記前記発散隔壁の永続的な密閉工程は、封止層を用意して、インダクションシーリング技術を利用しての前記容器への前記封止層の結合を含む請求項１８に記載の方法。
【発明の詳細な説明】
【０００１】
（発明の背景）
１．発明分野
本発明は、活性合成物、特に、密閉された容器内に収められる商品と共同して用いられる揮発性香味の保持および放出のシステムに関する。
【０００２】
２．関連技術の説明
揮発性香味（つまり芳香）放出システムの種々の形式は、商業的背景において使用されている。例えば、香水のサンプルまたは他の商業的な芳香は、通常は添付公告と関連付けられる文芸雑誌に蓄えられる。雑誌の頁が開かれたときに、芳香のサンプルが放出される。残念ながら、一旦、雑誌の頁が開かれると芳香は直ちに消散される。潜在顧客によって体験される最初の芳香が異常に強く与えられるために、芳香物質の分量の増加は現実的な解決案を与えない。
【０００３】
商業的試みの他の領域は、芳香拡大の利益を得るために考えられる。例えば、消費者は一般に、コーヒーのような特定の商業商品に対して、芳香の強い関係をもっている。新しく画期的なコーヒー商品は、期待される芳香の水準をもたないことがあり、その結果、他の奏効するコーヒー商品に芳香を直接加える試みがなされている。
【０００４】
例えば、インスタントコーヒーの商業的包装は、顆粒状インスタントコーヒー商品内に直接集中するコーヒー香味のオイルベース（ｏｉｌ ｂａｓｅ）を加えることによって、増大される。インスタントコーヒーの顆粒はオイルを集中して吸収し、そして一旦容器が密閉されると、揮発性香味は容器ヘッドスペースに満ちる。多くの要素により、消費者が最初に包装を開いたときの揮発性香味の放出は、芳香の要求される効果を与えるかどうか分からない。この他に、環境の雰囲気によるヘッドスペースの希釈が容器のその後の再密封によって抑えられないため、揮発性芳香は容器の最初の開きの後、直ちに失われるであろう。容器の最初の開きの後に揮発性香味の持続する放出を与えること、および容器が空になるまで芳香体験を延長することが望ましい。
【０００５】
（発明の概要）
本発明の目的は、容器の最初の開口の後の継続的な再開口のときに、揮発性香味のような活性物質のコントロールおよび延長された放出を提供することにある。
【０００６】
本発明の他の目的は、揮発性香味物質、および商業商品を保持する容器に充填して密封する商業的な方法に適合するその他の活性物質であって、特に商業食品のための、コントロールされた保持および放出のシステムを提供することにある。
【０００７】
本発明の更なる他の目的は、現在の商業的包装に適合するクロージャーシステムに用いられる揮発性香味のスカルピング（Ｓｃａｌｐｉｎｇ）を減らして、高価部品の必要最小限の数によって構成することができる香味保持および放出システムを提供することにある。
【０００８】
本提案の本質に基づくこれらおよび他の目的は、
開口を有する容器と共に用いられ、開口は、容器と解除可能に結合するクロージャーによって閉じられる香味保持および放出システムにおいて、
揮発性香味物質を保持するためのポケットを共同して形成するように、前記クロージャー内に受けられる寸法とされた永続ライナーアッセンブリと、
前記永続ライナーアッセンブリの少なくとも一部を前記クロージャーに結合する永続結合材と、
前記香味物質に関して不浸透性の放散障壁を含む着脱可能ライナーアッセンブリと、
前記着脱可能ライナーアッセンブリを前記容器に結合する容器結合材と、
耐芳香の密閉を伴って、前記着脱可能ライナーアッセンブリを前記永続ライナーアッセンブリに解除可能に結合する解除可能結合材と
を含む香味保持および放出システムにおいて提供される。
【０００９】
（好適な実施形態の詳細な説明）
各図面に戻り、まずは図１にて、商業食品パッケージは一般に１０によって示され、消費者によって商品１６が取り出される上部開口を有する容器１２を含む。以下において理解されるように、本発明は、食品包装の分野において商業的な支持を得た。商品１６は、本実施例において、インスタントコーヒーや消費者が魅力的な香りを連想する食品を含む。従来、コーヒーを味合う消費者は、新鮮な挽いたコーヒー豆の取り扱いに熱中し、それは消費者がすぐに認める香りを放つ。
【００１０】
インスタントコーヒー顆粒の現代の調整により、芳香性の量は、挽いたコーヒー豆が連想されるほどに強くないことがある。したがって、香りつまり揮発性香味体験の再導入が望ましく、それは、インスタント食品によって提案される容易さと便利さを高めるであろう。従来、揮発性香味物質または芳香性の香りは、通常は容器１２に詰められるときに、食品１６に直接導入されている。その後、クロージャー１４が容器１２に付けられ、パッケージ１０内に揮発性芳香を封止する。本発明は、閉じた容器の他のタイプの多種多様に用いることができる。各図面は、上部ねじ瓶口１８を有するガラス瓶形態の容器１２の一般的なタイプを示す。雌ねじ（図２参照）を有するスクリューキャップの形態のクロージャー１４は、ねじ、つまり容器１２のねじ瓶口１８にはめ合わされる。従来、圧縮性のガスケットは、クロージャー１４の内側にはめ合わされ、容器とのねじ結合が図られるときに増大する圧縮を伴って、容器瓶口の上端２２によって圧縮される。
【００１１】
図２および４を参照するに、本発明は、２ライナーアッセンブリを採用し、それは、理解されるようにクロージャー１４と結合される永続ライナーアッセンブリ３０と、容器１２と結合される着脱可能なライナーアッセンブリ３２と、を含む。
【００１２】
図４を参照するに、ライナーアッセンブリ３０，３２は、ライナーアッセンブリ３０が３層によって成され、またライナーアッセンブリ３２が２層によって成されるように、望ましくは積層複合材料により成る。以下において理解されるように、ライナーアッセンブリ３０，３２を成す各層は、直ちに商業的に利用でき、また安価な方法において作ることができる。望ましくは、永続および着脱可能なライナーアッセンブリ３０，３２は複合シートの形態に互いに結合され、それは、従来の一般的なアッセンブリ技術に使用される１段の打ち抜き工程と、その後のクロージャー１４内部への機械的な挿入のために用意される。
【００１３】
図３を参照するに、クロージャー１４は、よく知られているスクリューキャップの形をとる。好ましくは、クロージャー１４は、蓋壁３６と、容器瓶口と結合するためのねじ部４０をもつ側壁３８と、を含むように、従来からの方法によってプラスチック材料により構成される。クロージャー１４は、外面４２と内面４４を有する。揮発性香味物質５０のような予め選定された活性合成物は、蓋壁３６の内面上に配置される。
【００１４】
本発明は、さらに、商品１６に有益な物質を放出する揮発性を備える活性合成物の他のタイプへの適用を意図する。例としては、酸化防止剤、脱酸素剤、炭酸ガス脱除剤、窒素放出剤（例えば、プラスチック容器の崩壊の防止に有用）、および酸素生成剤のような凝縮された消耗揮発性物質を含む。本発明によって、消費者包装から上記の物質の小袋を省くことができる。
【００１５】
永続ライナーアッセンブリ３０は、好ましくは、クロージャーの側壁３８内に、高精度のはめ合いを伴って適合する寸法につくられたディスク形状に打ち抜かれる。永続ライナーアッセンブリ３０は、結合、つまりクロージャー蓋壁３６の内面４４に緊密に配置されように、矢印５２の方向に進められ、そしてクロージャー１４に永続的に固定される。好ましくは、ライナーアッセンブリ３０の上面の外側周辺部のみが、適した接着剤によって、クロージャー蓋壁３６の内側の面に固定される。これは、揮発性芳香物質５０を保持するための小さい空洞やポケットを形成する。以下において明らかとなるように、ライナーアッセンブリ３０は、好ましくは、打ち抜きとクロージャー１４への挿入に先だって、着脱可能ライナーアッセンブリ３２に結合される。
【００１６】
好適な実施例において、永続ライナーアッセンブリ３０は、収容層６０、好ましくは発泡体つまり多孔性ポリマーであり、活性合成物５０と物理的および化学的に適合する。層６０は、ポリオレフィン多孔性発泡素材、好ましくはポリプロピレンを含む。層６０は、活性合成物の収容のための基材として機能し、その好適な実施例においては、エッセンシャルオイルのような香味濃縮形態の揮発性香味物質を含む。そのオイルは、発泡層６０に浸透し、発泡層６０の上面に接着されるフィルム６２の層を通して放散する。フィルム層６２は、クロージャー１４の蓋部３６および揮発性香味物質５０と直接的に隣接するように配置される。好ましくは、フィルム層６２は、ポリエチレンフィルムの押出しコーティングを含む。ポリエチレン素材の層６４は、発泡層６０の底面を渡って押出しコーティングによって付与され、クロージャー１４の低い位置および商品１６上のヘッドスペース（図１および図２を補足的に参照）へのコントロールされた活性合成物の放散、放出をもたらす。
【００１７】
同時に、フィルム層６２，６４は、永続ライナーアッセンブリを抜け出る活性合成物の全体としてコントロールされた放散速度をもたらす。制御された放出の速度は、フィルム層６２，６４を成す基盤（ｍａｔｒｉｘ）への活性合成物の溶解度を調整することによって、ある程度は調整することができる。好適な実施例において、活性合成物５０の溶解度は、フィルム層６２のポリエチレン素材、およびフィルム層６４のポリエチレン素材に関して選択される。また、放出度の制御は、活性合成物のロードパラメーター（ｒｏａｄ ｐａｒａｍｅｔｅｒ）に加えて、層６２，６４の厚さつまりフィルムゲージ（ｆｉｌｍ ｇａｕｇｅ）に依存する。好ましくは、発泡層６０は、活性合成物の放散速度を制限する重要な役目をしない。
【００１８】
発泡収容層６０のための上述した高分子材料に加えて、もしも望まれるならば有機物質の基盤をさらに使用することができる。例としては、セルロース（特に、織った形態）、天然ゴム、およびケラチンを含む。このような基盤の支持は、ポリオレフィンフィルム層６２，６４の間の囲まれて与えられる。このように、望まれる基盤材料は、従来の大量生産作業に適するように作られる。
【００１９】
言及したように、永続フィルムアッセンブリ３０（図４参照）の上面６８の外周部は、クロージャー蓋部３６の内面４４に付着して固定される。表面６８の外周部のみに適した接着剤を付与することによって、フィルム層６２の主要な部分を通しての放散は妨げられないままであり、その結果、活性合成物の発泡収容層６０内への自由な放散が許容される。重要なことは、クロージャー１４への永続ライナーアッセンブリ３０の接着剤は、上記のように、永続ライナー３０の放散バリアシステム（ｄｉｆｆｕｓｉｏｎ ｂａｒｒｉｅｒ ｓｙｓｔｅｍ）回りの活性合成物のいくつかの逃げ道を遮ることである。ここに明らかとなるように、張力は永続ライナーアッセンブリ３０の底面７２に加えられ、クロージャー１４へのアッセンブリ３０の接着剤は、加えられる張力に耐えるように選択されて、活性合成物のコントロールされた制限を維持する。
【００２０】
好適さの少ない代案として、永続ライナーアッセンブリ３０とクロージャーとの間の活性合成物のコントロールされない逃げを防止できるように、永続ライナーアッセンブリ３０の外側部をクロージャー側壁３８の内面と充分に結合するように作ることができる。一般的に、適した接着剤は、アッセンブリ３０の外側の角をクロージャー側壁３８の内面に固定するために用いられる。しかしながら、これは、現実的な商業上の大量生産の困難を持ち込む。例えば、接着（活性合成物の密閉をもたらす）は実質的に空間と隙間をもってはならないが、容器瓶口の縁に結合する永続ライナーアッセンブリの部分に入り込んではならない。
【００２１】
図２および４に戻り、着脱可能ライナーアッセンブリ３２は、活性合成物５０の放散を有効に阻止する放散障壁（ｄｉｆｆｕｓｉｏｎ ｂａｒｒｉｅｒ）を提供するアルミホイルの層８０を含む。好ましくは、層８０の上面８２は、剥離可能なワックスや高分子材料の接着剤のような解除可能な結合物質によって覆われる。このように、層６４，８０は、香りの密閉（ａｒｏｍａ−ｔｉｇｈｔ ｓｅａｌ）を伴って、互いには解除可能に結合される。
【００２２】
パッケージ１０の商業上の生産を助けるために、図２に示されるように、放散障壁層８０が容器瓶口の縁２２に固定されることが好ましい。好ましくは、結合層８６を備えることによって保護が達成され、それは、容器が商品によって満たされてクロージャー１４がねじ結合された後に、容器１２の上端の便宜的な保護を与えるように選択される。最も好ましくは、層８６は周知のインダクションシール可能ポリエチレンフィルム（ｉｎｄｕｃｔｉｏｎ ｓｅａｌａｂｌｅ ｐｏｌｙｅｔｈｙｌｅｎｅ）を含み、それは、障壁層８０に押出しコートされる。ポリプロピレン封止剤（ｐｏｌｙｐｒｏｐｙｌｅｎｅ ｓｅａｌａｎｔ）は、一般のインダクションシール可能ラッカー（ｉｎｄｕｃｔｉｏｎ ｓｅａｌａｂｌｅ ｌａｃｑｕｅｒ）のコーティングを受けることが好ましい。パッケージ１０が組み立てられて封止された後、層８６は、一般的なインダクションシーリング技術を用いてリム２２に接着される。
【００２３】
上述したように、クロージャー１４は、軽量に、かつコスト的に有効なプラスチック材料によって好ましく構成されるが、合金のような他の材料を用いることもできる。プラスチック材料のクロージャー１４は、考える多くの設計課題と共に選択される。例えば、プラスチック材料は、従来において考慮されているように、容器とのねじ結合に適し、かつ確実な繰り返し閉じ操作を提供しなければならない。しかし、クロージャーは、永続ライナーアッセンブリと共同してキャビティー、つまり活性合成物５０を閉じ込めるためのポケットを形成するため、活性合成物のいくつかのスカリピング（ｓｃａｌｐｉｎｇ）に関して、プラスチック材料の適合性について考慮されなければならない。その後のコントロールされた放出に利用されるように、活性合成物が適切に閉じ込められることを補償するために、クロージャー１４の内面４４は、ＰＶＤＣまたはＥＶＯＨフィルムのような高バリアコーティング（ｈｉｇｈ ｂａｒｒｉｅｒ ｃｏａｔｉｎｇ）をもって増大させることができる。
【００２４】
本発明の香味保持および放出システムを提供するための製造工程は、いま説明される。最初に、好ましくは離れた場所にて、発泡性ポリプロピレン貯留の層は、ポリオレフィンフィルムによって、その主要な表面が押出しコートされる。好ましくは、その表面は、比較的薄いポリエチレンフィルムによって被覆され、その底面は、厚いポリプロピレンフィルムによって被覆される。そして、着脱可能ライナーアッセンブリ３２は、アルミニウムホイルシート上へのインダクションシール可能ポリエチレンフィルムの層の押出しコーティングによって作られる。そして、着脱可能および永続ライナーアッセンブリは、ワックスまたは高分子材料を用いて、互いに剥離可能に固定されてライナー複合体を形成する。そして、その結果の複合体は、コントロールされた許容はめ合いをもってクロージャー１４の内部に受けられるように、適切な直径に打ち抜かれる。
【００２５】
そして、活性合成物の予め選択された量は、クロージャー蓋の内部に付与される。ライナー複合体の上面の外周部に対する適切な接着剤の塗布の後、ライナー複合体は、活性合成物を囲むポケットを形成するようにクロージャーの内部に挿入されて、クロージャーの内面にライナー複合体の外周を有効に封止する。もしも必要ならば、カップの内面には放散隔壁材の被膜が備えられ、組み立てられたクロージャーとライナー複合体内の活性合成物の保持を確保する。
【００２６】
次に、容器は、容器内の予め選択された水準にまで、インスタントコーヒー顆粒のような商品によって満たされる。クロージャーと容器とのねじ結合の直前に、インダクションシール可能ラッカーの層は、ライナー複合体の露出面に付与される。最も好ましくは、露出するライナー複合体の外周部のみがインダクションシール可能ラッカーによって被覆される。そして、ライナー複合体におけるクロージャーアッセンブリは、容器瓶口にねじ付けられる。好ましくは、この工程にて、介在層のみならず放散隔壁層８０と発泡収容層６０が容器瓶口２２とクロージャーとの間に圧縮される。そして、インダクション封止力（ｉｎｄｕｃｔｉｏｎ ｓｅａｌｉｎｇ ｅｎｅｒｇｙ）がパッケージに付与され、層８６をもって容器の周縁に接着される。
【００２７】
包装、流通、および保管の際に、クロージャー内の活性合成物は、周囲のフィルム層６２，６４のみならず発泡層５０内にも放散する。容器の最初の開口の前に、ライナー複合体上への周縁２２の跡によって形成される限定空間内において、平衡が達せられて維持されるであろう。
【００２８】
パッケージの引渡しと共に、消費者は最初のねじって外す動作、パッケージの開口を実行する。これは、容器１２の周縁２２が着脱可能ライナーアッセンブリ３２を保持した状態でもって、着脱可能ライナーアッセンブリ３２に、永続ライナーアッセンブリ３０からの分離を生じさせる。そして、消費者は、ホイル層８０を容器１２からの剥離、そうでなければ除去し、商品１６の要求される量をすくい上げる。そして、永続ライナーアッセンブリ３０が取り付けられたクロージャー１４を容器１２にねじ付けることによって、容器が再び閉じられる。商品の上面と永続ライナーアッセンブリ３０との間の新たなヘッドスペース（ｈｅａｄ ｓｐａｃｅ）が生じる。その後直ちに、永続ライナーアッセンブリ内の新たな濃度勾配は、フィルム層６４を通しての活性合成物の放散をもって確立される。永続ライナーアッセンブリ３０に残る活性合成物は、パッケージのその後の開口まで、永続ライナーアッセンブリと商品１６の上面との間のヘッドスペース内に捕らえられる。パッケージのその後の開口のそれぞれにおいて、ヘッドスペース内の活性合成物の濃度は減少され、永続ライナーアッセンブリのフィルム接触面に新たな濃度勾配が生じる。このように、活性合成物は、クロージャーからヘッドスペース内に移され、活性合成物が発泡収容層内に残存する限りは、その後の容器開口を継続する。
【００２９】
上述から理解できるように、本発明は、揮発性香味、または高分子や自然有機食品システムにおける他の活性合成物をカプセルに包むことを図る従来技術を越えて、充分な利点を与える。本発明によって、容器の開口状態で香味の放出をコントロールする以前の問題は、障壁層８０によって与えられる防護によって克服される。活性合成物の性能分布（ｐｅｒｆｏｒｍａｎｃｅ ｐｒｏｆｉｌｅ）を変化させる活性合成物の酸化は、フィルム層６４によって効果的に防止される。さらに、活性合成物の揮発性香味成分の優先的な吸収は、収容層６０内の活性状態によって与えられる。
【００３０】
ライナー複合体と、商品のその後の分与の後のままに保たれる容器内のヘッドスペースとの相互作用は、その後の開口において新たな芳香効果を与える。その後の開口時において放出される揮発性香味の強さと持続時間は、ある要素によって決まり、それらの多くは製造業者によって容易にコントロールできる。クロージャーとライナー複合体の最初の組み立て時の活性合成物（すなわち、揮発性香味物質）の量は、容易にコントロール可能である。他の要素は、障壁、溶解性、およびクロージャー壁を通る香味物質の放散率特性である。芳香効果を与える更なる要素は、クロージャーの高分子マトリクスによる香味揮発性のスカルピング（ｓｃａｌｐｉｎｇ）である。もしも必要であれば、クロージャーの内面に対して、異なる高分子マトリクスおよび／または経済的実用的な防壁層を付与することができる。更なる要素として、フィルム層６２，６４を通る活性合成物の浸透の割合は、それらの厚みと放散率特性によって決定される。
【００３１】
それぞれの要素は、製造業者によってコントロールすることができない。例えば、消費者によるその後の開口の時間間隔は、芳香効果に影響を及ぼすことにもなるが、この要素は、包装製造業者によってコントロールすることができない。再び閉じるステップにおいて、消費者によってクロージャー周縁に与えられるトルクの量は、芳香効果に影響を及ぼすことにもなるが、これも、包装製造業者によってコントロールすることができない。
【００３２】
述べたように、本発明は、インスタントコーヒー商品の分野において、直接の商業用途を見出した。さまざまな効果は、充填期間中に揮発性香味物質を直接商品にスプレーする従来の慣例を越えて、本発明によって与えられる。本発明は、開口と閉口の多くのサイクルの全体に渡って、コントロールされかつ長引かされた香味の香りを容器ヘッドスペース内に与える。本発明によるクロージャーの組み立ては、発泡ベースライナー（ｆｏａｍ−ｂａｓｅｄ ｌｉｎｅｒｓ）と共に使用されるタイプの従来のインダクションシーリング技術（ｉｎｄｕｃｔｉｏｎ ｓｅａｌｉｎｇ ｔｅｃｈｎｉｑｕｅｓ）と、容器の前処理を用いる最小限の増分費用をもって達成され、特にガラス容器は必要とされない。もしも望むならば、本発明は、ガラスよりも、（ＥＶＯＨ／ポリプロピレン、またはＰＥＴ／ＥＶＯＨ材料のような）バリアポリマー材（ｂａｒｒｉｅｒ ｐｏｌｙｍｅｒｉｃ ｍａｔｅｒｉａｌｓ）によって構成された容器と共に直ぐに使用してもよい。もしも、活性合成物の量を特別な商業用途のために実質的に増やさなければならない場合には、クロージャーを簡単に修正して、活性合成物の増加量のために充分に作られた空洞を提供することができる。例えば、くぼみをクロージャーの周縁部分内に形成することができる。最後に、他の簡単に利用可能なフィルム層材料と収容層材料の選択を伴って、本発明は、多種多様の商品に使用することができる。
【００３３】
各図面と以上の説明は、本発明の構成と操作の方法の詳細に関して、本発明の唯一の形態を表すことを意図するものではない。均等物の代替のみならず形状および各部の大きさの変更は、状況が示唆または手段を与えるように考えられ、また特別な用語が用いられたが、それらは一般かつ記述的な概念のみを表し、制限を目的とするものではなく、本発明の範囲は特許請求の範囲によって表されている。
【図面の簡単な説明】
【図１】
本発明の原理に基づく容器とクロージャーの斜視図である。
【図２】
図１の２−２線に沿う断面図である。
【図３】
容器クロージャーのアッセンブリを示す断面図である。
【図４】
拡大された図２のライナーアッセンブリを示す。
【図１】
2004509811.tif 000003
【図２】
2004509811.tif 000004
【図３】
2004509811.tif 000005
【図４】
2004509811.tif 000006
【国際公開パンフレット】
2004509811.tif 000007
2004509811.tif 000008
2004509811.tif 000009
2004509811.tif 000010
2004509811.tif 000011
2004509811.tif 000012
2004509811.tif 000013
2004509811.tif 000014
2004509811.tif 000015
2004509811.tif 000016
2004509811.tif 000017
2004509811.tif 000018
2004509811.tif 000019
2004509811.tif 000020
2004509811.tif 000021
2004509811.tif 000022
2004509811.tif 000023
2004509811.tif 000024
2004509811.tif 000025
2004509811.tif 000026
【国際公開パンフレット（コレクトバージョン）】
2004509811.tif 000027
2004509811.tif 000028
2004509811.tif 000029
2004509811.tif 000030
2004509811.tif 000031
2004509811.tif 000032
2004509811.tif 000033
2004509811.tif 000034
2004509811.tif 000035
2004509811.tif 000036
2004509811.tif 000037
2004509811.tif 000038
2004509811.tif 000039
2004509811.tif 000040
2004509811.tif 000041
2004509811.tif 000042
2004509811.tif 000043
2004509811.tif 000044
2004509811.tif 000045
2004509811.tif 000046
2004509811.tif 000047
【国際調査報告】
2004509811.tif 000048
2004509811.tif 000049